(57)【特許請求の範囲】
【請求項１】
エンドケースと直ケースとからなる平型ショーケースを連結して中島を構成する平型オープンショーケースであって、そのエンドケースに設けられ、上面を開口してその下に商品収納部を配設したケース本体を有し、該ケース本体の前面に亘って形成した冷気吹出口とケース本体の背面に設けられた柱状の背面仕切壁の上部に形成した冷気吸込口との間に、冷気のエアカーテンを形成して前記商品収納部を保冷する平型オープンショーケースにおいて、
前記柱状の背面仕切壁以外のエンドケース後面を開口して、該エンドケースとこれに連結される直ケースのそれぞれの商品収納部の床板面及び両側面同士が面一となるように構成するとともに、
前記背面仕切壁上部の冷気吸込口（７）以外に、前記ケース本体内の側面後部に冷気吸込口（８）を設けたことを特徴とする平型オープンショーケース。
【請求項２】
前記ケース本体内の側面後部に設けた冷気吸込口（８）は、複数の通気孔を配設してなることを特徴とする請求項１記載の平型オープンショーケース。
【請求項３】
エンドケースと直ケースとからなる平型ショーケースを連結して中島を構成する平型オープンショーケースであって、そのエンドケースに設けられ、上面を開口してその下に商品収納部を配設したケース本体を有し、該ケース本体の前面に亘って形成した冷気吹出口とケース本体の背面に設けられた柱状の背面仕切壁の上部に形成した冷気吸込口との間に、冷気のエアカーテンを形成して前記商品収納部を保冷する平型オープンショーケースにおいて、
前記柱状の背面仕切壁以外のエンドケース後面を開口して、該エンドケースとこれに連結される直ケースのそれぞれの商品収納部の床板面、陳列板面及び両側面同士が面一となるように構成するとともに、
前記背面仕切壁上部の冷気吸込口（７）以外に、前記ケース本体内の商品陳列板及び床板の直ケース接続側表面に冷気吸込口（１２，１３）を設けたことを特徴とする平型オープンショーケース。
【請求項４】
前記ケース本体内の商品陳列板及び床板の直ケース接続側表面に設けた冷気吸込口（１２，１３）は、複数の通気孔を配設してなることを特徴とする請求項３記載の平型オープンショーケース。
【発明の詳細な説明】
【０００１】
【発明の属する技術分野】
本発明は、平型ショーケースを連結して中島を構成するショーケースにおけるエンドケースの改良に関する。
【０００２】
【従来の技術】
スーパーマーケットやコンビニエンスストア等のセルフサービス方式の食品販売店では、冷凍食品や生鮮食品等冷蔵食品の保冷及び陳列に、庫内上面が開口された平型ショーケース（直ケースやエンドケース）を連結して中島を構成するショーケースが使用されている。
【０００３】
図５に示すように、中島を構成したショーケース３１は、少なくとも、一対のエンドケース３２，３２（片側平型ショーケース）と一台以上の直ケース３３（両側平型ショーケース）を組み合わせて構成されている。
そして、中島を構成したショーケース３１には、冷気のエアフローの違いから、前面吸い込み背面吹き出しのエンドケース３２ａと前後面吸い込み中間仕切壁吹き出しの直ケース３３ａの組み合わせのショーケースと、前面吹き出し背面吸い込みのエンドケース３２ｂと前後面吹き出し中間仕切壁吸い込みの直ケース３３ｂの組み合わせのショーケースとの二種類のタイプがある。
【０００４】
前者のタイプのエンドケース３２ａは、図６に示すように、上面を開口した箱形の商品収納部３４と、この商品収納部３４を適度の高さに保つ台座部３５とから構成されている。そして、商品収納部３４の陳列部３４ａは、一体発泡パネル構造の断熱壁３６で囲まれている。この断熱壁３６と陳列部３４ａの間には、所定空間を設けて冷気の循環ダクト３７が形成され、該循環ダクト３７の背面側には、冷却器３８と送風機３９とが設けられている。この循環ダクト３７の背面側は冷気吹出口４０に、前面側は冷気吸込口４１に夫々接続されており、冷却器３８で冷却された冷気は、背面側の冷気吹出口４０から手前側の商品収納部３４内に吹き出され、商品収納部３４をエアカーテンでエアブランケット状態に覆い、所定の保冷温度に保持して、前面側の冷気吸込口４１内に吸い込まれて、送風機３９の作用で、この経路を循環する。
なお、Ｐは、陳列食品などの高さを調節できる陳列板である。
【０００５】
前者のタイプの直ケース３３ａは、図７に示すように、商品収納部４２がその中央に設けられた中間仕切壁４３により２つの陳列部４２ａ，４２ｂに分断されることを除いて、エンドケース３２ａと略同様に構成されている。即ち、直ケース３３ａは、上面を開口した箱形の商品収納部４２と、この商品収納部４２を適度の高さに保つ台座部４４とから構成されている。そして、商品収納部４２の陳列部４２ａ，４２ｂは一体発泡パネル構造の断熱壁４５で囲まれている。この断熱壁４５と陳列部４２ａ，４２ｂの間には、所定空間を設けて冷気の循環ダクト４６が形成され、商品収納部４２の床下循環ダクト４６の中央寄りには冷却器４７，４７と送風機４８，４８が配設されている。この冷却器４７，４７で冷却された冷気は、商品収納部４２の中央に設けられた中間仕切壁４３の内部循環ダクトを通って、その上部に形成された前後両サイドの冷気吹出口４９，４９から商品収納部４２の両サイドに吹き出され、陳列部４２ａ，４２ｂに収納された食品等を冷却した後、両サイド内側の冷気吸込口５０，５０から再び循環ダクト４６内に循環される。
【０００６】
また、後者のタイプのエンドケース３２ｂと直ケース３３ｂは、図８及び図９に示すように、前者のタイプと冷気吹出口５１、５３，５３と冷気吸込口５２、５４，５４が逆になったショーケースであり、詳細な説明は省略する。
【０００７】
【発明が解決しようとする課題】
ところで、前述した従来のエンドケースは、その背面部が開口していないため、中島を構成したショーケースの直ケースと商品収納部が区切れてしまい、商品収納部の連続感が失われてしまうという問題点があった。
そこで、前者のエンドケース（背面吹き出し、前面吸い込み）において、背面部の一部を開口し、直ケースと連結して、商品収納部を連通させるようにしてみたが、吹き出しの風量が、吸い込みの風量より少ないため、距離にして一番遠いコーナー部では、エアカーテンの形成が不完全で、冷えないという問題があった。
また、後者のエンドケース（背面吸い込み、前面吹き出し）において、背面部の一部を開口し、直ケースと連結して商品収納部を連通させると、今度は、吹き出しの風量が吸い込みの風量より多くなって回収しきれず、オーバーフローを起こし、連結した隣の直ケースのエアカーテンを乱して、冷却不良を起こす問題があった。
【０００８】
本発明は上記の点に鑑み創案されたもので、後者のエンドケースにおいて、吸い込み風量を多くとれるようにして、吹き出し風量と吸い込み風量のバランスを取り、冷却不良を起こさないようにし、エンドケースと直ケースの商品収納部の連続感を出しながら、保冷力が維持できる中島を構成するエンド部の平型オープンショーケースを提供することを目的とする。
【０００９】
【課題を解決するための手段】
上記課題を解決するため、本発明においては、エンドケースと直ケースとからなる平型ショーケースを連結して中島を構成する平型オープンショーケースであって、そのエンドケースに設けられ、上面を開口してその下に商品収納部を配設したケース本体を有し、該ケース本体の前面に亘って形成した冷気吹出口とケース本体の背面に設けられた柱状の背面仕切壁の上部に形成した冷気吸込口との間に、冷気のエアカーテンを形成して前記商品収納部を保冷する平型オープンショーケースにおいて、前記柱状の背面仕切壁以外のエンドケース後面を開口して、該エンドケースとこれに連結される直ケースのそれぞれの商品収納部の床板面、陳列板面及び両側面同士が面一となるように構成するとともに、前記背面仕切壁上部の冷気吸込口以外に、前記ケース本体内の側面後部、あるいは陳列板及び床板の直ケース接続側表面に冷気吸込口を設けたことを特徴とする。
そして、これらのケース本体内の側面後部や陳列板及び床板の直ケース接続側表面に設けた冷気吸込口は、複数の通気孔を配設して形成したことを特徴とする。
上記構成を採用したことにより、エンドケースと直ケースの商品収納部の連続感を出しながら、直ケースのエアフローを乱すことなく、保冷力を維持することができる。
【００１０】
【発明の実施の形態】
以下、本発明の好ましい実施の形態を図面に基づいて説明する。
図１は本発明の平型ショーケースがエンドケースとして使用されている中島を構成したショーケースの斜視図、図２は平型ショーケースの斜視図、図３は図１のＡ−Ａ線断面図、図４は図１のＢ−Ｂ線断面図である。
なお、従来例と同様の構成要素については、従来と同一符号を付し、説明は省略する。
【００１１】
従来と同様に、図１に示すように、中島を構成したショーケース１は、本発明のエンドケース２，２（片側平型ショーケース）と、一台以上の直ケース３（両側平型ショーケース）を組み合わせて構成されている。
本発明のエンドケース２は、図２乃至図４に示すように、前面吹き出し背面吸い込みのエアフロータイプで、前面の全長に亘って冷気吹出口４が設けられるとともに、ケース本体５の背面の中央部の背面仕切壁６の上部にパンチングした通気孔からなる冷気吸込口７が設けられている。この冷気吸込口７以外にも、ケース本体５内の側面後部にパンチングした複数の通気孔からなる冷気吸込口８が設けられている。
【００１２】
前記背面仕切壁６以外の後面は、このエンドケース２に連結される直ケース３の商品収納部と面一、即ち、それぞれの商品収納部の床板面、陳列板面及び両側面同士が面一になるように開口されていて、エンドケース２の商品収納部９には陳列板１０ａ，１０ｂ，１０ｃ，１０ｄが嵌っている。そして、エンドケース２の後部の陳列板１０ｃ，１０ｄの直ケース接続側表面と、床板１１の直ケース接続側表面には更に夫々パンチングした複数の通気孔からなる冷気吸込口１２，１３が設けられている。
【００１３】
而して、冷気吹出口４から吹き出された冷気は、商品収納部９の陳列板１０ａ，１０ｂ，１０ｃ，１０ｄに載置された食品等をエアブランケット状態に冷却し、一部は、背面仕切壁６の上部の冷気吸込口７から、また他の一部は、ケース本体５内の側面後部の冷気吸込口８から、残りの冷気は陳列板１０ｃ，１０ｄの直ケース接続側表面の冷気吸込口１２から床板１１の直ケース接続側表面の冷気吸込口１３を通って、床下循環ダクト１４を通って回収され、床下循環ダクト１４内の冷却器１５と熱交換され、再び冷やされて、送風機１６の作用で再び冷気吹出口４より吹き出される。
【００１４】
なお、上記実施の形態における説明では、背面仕切壁上部の冷気吸込口の他に、冷気吸込口をケース本体内の側面後部と、陳列板及び床板の直ケース接続側表面との双方に設けた例を示したが、片方でもよいことは勿論である。また、ケース本体内の側面後部とは、ケース本体の中央から後方側の位置の意味である。
【００１５】
【発明の効果】
以上説明したように、本発明によれば、エンドケースと直ケースとからなる平型ショーケースを連結して中島を構成するショーケースにおいて、そのエンドケースの柱状の背面仕切壁以外のエンドケース後面を開口して、該エンドケースとこれに連結される直ケースのそれぞれの商品収納部の床板面、陳列板面及びケース本体内の両側面同士が面一となるように構成したので、商品収納部が連通し、商品の連続感を出すことができた。
【００１６】
また、前面吹き出し、背面吸い込み構造における冷気の吸い込み不足を、背面仕切壁上部の冷気吸込口以外に、ケース本体内の側面後部あるいは、陳列板及び床板の直ケース接続側表面に新たに冷気吸込口を設けることにより解消し、直ケース側に冷気がオーバーフローして直ケースのエアフローを乱すことがなくなり、保冷力を効率的に維持することができるようになった。
【図面の簡単な説明】
【図１】  本発明の平型ショーケースがエンドケースとして使用されている中島を構成したショーケースの斜視図である。
【図２】  本発明の平型ショーケースの斜視図である。
【図３】  本発明の平型ショーケースのＡ−Ａ線断面図である。
【図４】  本発明の平型ショーケースのＢ−Ｂ線断面図である。
【図５】  従来の中島を構成したショーケースの斜視図である。
【図６】  従来のエンドケースのＸ−Ｘ線断面図である。
【図７】  従来の直ケースのＹ−Ｙ線断面図である。
【図８】  従来の別のエンドケースのＸ−Ｘ線断面図である。
【図９】  従来の別の直ケースのＹ−Ｙ線断面図である。
【符号の説明】
１  中島を構成したショーケース
２  エンドケース
３  直ケース
４  冷気吹出口
５  ケース本体
６  背面仕切壁
７  冷気吸込口
８  冷気吸込口
９  商品収納部
１０ａ  陳列板
１０ｂ  陳列板
１０ｃ  陳列板
１０ｄ  陳列板
１１  床板
１２  冷気吸込口
１３  冷気吸込口
１４  床下循環ダクト
１５  冷却器
１６  送風機
３５  台座部
３６  断熱壁
【図１】
0004281932.tif 000002
【図２】
0004281932.tif 000003
【図３】
0004281932.tif 000004
【図４】
0004281932.tif 000005
【図５】
0004281932.tif 000006
【図６】
0004281932.tif 000007
【図７】
0004281932.tif 000008
【図８】
0004281932.tif 000009
【図９】
0004281932.tif 000010